(57)【要約】本発明は、表カバーパネルと裏カバーを備えるＰＤＡ付き多機能カバー装置であって、凹状平面を備える表カバー上には少なくとも一の回動式補助パネルが回動可能に連接され、補助パネルは表カバーパネルの任意の一端に連結されて、表カバーパネルの凹状平面内から表カバーパネルの外側まで１８０度回動することで表カバーパネルを伸張させ、補助パネル上には照明灯および着脱式ＰＤＡ装置が連接され、補助パネルが収納状態にあるときは、照明灯とＰＤＡ装置の突出部分は表カバー上のウィンドウ内にそれぞれ位置することを特徴とする。本発明の他の構造は、内部が空洞の表カバーパネル上に少なくとも一の引き戸式補助パネルが内蔵されている。本発明は、表カバーが外側に伸張可能であって、ＰＤＡ装置は自由に着脱可能であり、ＰＤＡ装置の使用と資料閲覧および筆記とを同時進行でき、かつ夜間照明の提供とＰＤＡ音声の再生が可能であるといった特徴を有する。
0003140684.tif 000002
【実用新案登録請求の範囲】
【請求項１】
表カバーパネル（１０ａ）および裏カバー（２０）を備えるＰＤＡ付き多機能カバー装置であって、
凹状平面（１１）を備える表カバーパネル（１０ａ）には少なくとも一つの回動式補助パネル（３０ａ）が回動可能に連接されており、
補助パネル（３０ａ）は表カバーパネル（１０ａ）の任意の一端に連結され、表カバーパネルの凹状平面（１１）内から表カバーパネルの外側まで１８０度回動し、表カバーパネルを伸張させ、
補助パネル（３０ａ）には回動可能な照明灯（５０）および着脱式ＰＤＡ装置（４０）が連接されており、
補助パネル（３０ａ）が収納状態にあるときは、照明灯の突出部分は表カバーパネル（１０ａ）上のウィンドウ（１２）内に、ＰＤＡ装置の突出部分は表カバーパネル（１０ａ）上のウィンドウ（１３）内にそれぞれ位置することを特徴とするＰＤＡ付き多機能カバー装置。
【請求項２】
補助パネル（３０ａ）の連接端の頭部と底部とには貫通孔を有する軸（３１）が一つずつ設置され、
表カバーパネル（１０ａ）の接続端である凹状平面（１１）の上端壁および下端壁には、前記軸に対応する軸孔（１４）がそれぞれ設けられ、
補助パネルの上下両端は、それぞれ軸（３１）によって照明灯（５０）および表カバーパネル（１０ａ）と回動可能に連接され、
表カバーパネルの凹状平面内のエッジ部分には補助パネルを引き出すために用いられる開口（１８）が設けられている
ことを特徴とする請求項１に記載のＰＤＡ付き多機能カバー装置。
【請求項３】
前記照明灯（５０）は板状のソケット（５１）内に装着され、
ソケット（５１）の連接端上下部分は貫通孔を有する軸（５１１）と連接孔（５１２）とによって、それぞれ補助パネル（３０ａ）および表カバーパネル（１０ａ）に回動可能に連接しており、
照明灯（５０）と電池座（６０）は接続されており、
電池座は、表カバーパネル（１０）と裏カバー（２０）を連接する連接パネル（２００）内に設置されていることを特徴とする請求項１に記載のＰＤＡ付き多機能カバー装置。
【請求項４】
表カバーパネル（１０ｂ）および裏カバー（２０）を備えるＰＤＡ付き多機能カバー装置であって、
内部が空洞である表カバーパネル（１０ｂ）には、少なくとも一つの引き戸式補助パネル（３０ｂ）が内蔵され、
表カバーパネル（１０ｂ）の一以上のエッジ部分には補助パネル取り出し口（１５）が設けられ、
補助パネル（３０ｂ）は、補助パネル内から引き出すことで表カバーパネルを伸張可能であり、かつ補助パネルは表カバーパネル（１０ｂ）内に収納可能であって、
補助パネル（３０ｂ）には照明灯（５０）および着脱式ＰＤＡ装置（４０）が装着されており、
補助パネル（３０ｂ）が収納状態にあるときは、照明灯の突出部分は表カバーパネル（１０ｂ）上のウィンドウ（１２）内に、ＰＤＡ装置の突出部分は表カバーパネル（１０ｂ）上のウィンドウ（１３）内にそれぞれ位置することを特徴とするＰＤＡ付き多機能カバー装置。
【請求項５】
表カバーパネル（１０ｂ）内室の上下壁上には、貫通孔を有するストッパー（１６）が一つずつ設置され、
補助パネル（３０ｂ）の頭部と底部のエッジ部分には、前記ストッパーに対応するライン状溝（３２）がそれぞれ設けられ、
補助パネル（３０ｂ）の外側への伸張位置はストッパー（１６）によって制限され、
補助パネル（３０ｂ）の外縁端にはストッパー凸縁部（３３）が設置され、
表カバーパネル取り出し口（１５）のエッジ部分には補助パネルを取り出すのに用いる開口（１７）が設けられていることを特徴とする請求項４に記載のＰＤＡ付き多機能カバー装置。
【請求項６】
前記裏カバー（２０）は内部が空洞の板状体であって、
裏カバーの角部には表カバーパネルと裏カバーを連接する連接パネルの厚さに対応する内側に突出した再生装置（７０）が設置され、
前記再生装置（７０）は電池座（６０）に接続されており、
表カバーパネルとカバー内の資料綴とは、再生装置（７０）の結合部の形状に吻合し、
表カバーパネル（１０）と再生装置の対応面には、吸着用の磁石（１１１）および（１１２）が相対するように装着されていることを特徴とする請求項１または４に記載のＰＤＡ付き多機能カバー装置。
【請求項７】
表カバーパネル（１０ａ）あるいは（１０ｂ）の外側表面上には複数の装飾用発光体（８０）が設置され、
発光体は、電池座（６０）に接続されている回路基板（９０）に接続され、
回路基板は表カバーパネル内に装着され、
表カバーパネル（１０ａ）あるいは（１０ｂ）のエッジ部分には回路基板（９０）に接続するコンピュータ伝送インターフェース（１００）が設置されることを特徴とする請求項１または４に記載のＰＤＡ付き多機能カバー装置。
【請求項８】
補助パネル（３０ａ）あるいは（３０ｂ）には貫通したウィンドウ（３４）が一つ設けられ、
ウィンドウの上下壁上には電気接続部材であって上下に伸縮可能な金属製連接柱（３５）が少なくとも二組装着され、
前記ＰＤＡ装置（４０）の上下両端には金属製連接柱（３５）を挿入するためのＰＤＡ装置出力端子である連接孔（４１）がそれぞれ設けられ、
ウィンドウ（３４）内には、前記金属製連接柱によってＰＤＡ装置（４０）が着脱可能に連接されることを特徴とする請求項１または４に記載のＰＤＡ付き多機能カバー装置。
【請求項９】
前記金属製連接柱（３５）は二段の柱体（３５１）、（３５２）および二つの柱体を連接する固定パネル（３５３）から構成され、
前記柱体（３５１）は補助パネル（３０ａ）あるいは（３０ｂ）の内枠（３６）上の柱孔（３６１）内に位置し、
柱体（３５２）は内枠上方の金属製連接座（３７）の柱孔（３７１）内に位置し、
柱孔（３７１）内にはバネ（３８）が装着され、
固定パネル（３５３）は内枠（３６）上で固定を行い、
前記金属製連接柱（３５）は補助パネル（３０ａ）あるいは（３０ｂ）の内枠（３６）上の柱孔（３６１）と金属製連接座（３７）の柱孔（３７１）内で上下運動可能であることを特徴とする請求項８に記載のＰＤＡ付き多機能カバー装置。
【請求項１０】
前記電池座（６０）は、表カバーパネル（１０）と裏カバー（２０）を連接する連接パネル（２００）内に設置されていることを特徴とする請求項３に記載のＰＤＡ付き多機能カバー装置。
【考案の詳細な説明】
【技術分野】
【０００１】
本発明は、文化媒体・オフィス用品・学習用品などとしてのカバー装置に関し、特に、カバーが伸張可能であって、伸張用補助パネル上にＰＤＡ装置を着脱可能であり、かつ再生、照明などの機能を備えるＰＤＡ付き多機能カバー装置に関する。
【背景技術】
【０００２】
デジタル技術の進展に伴い、携帯情報端末（Ｐｅｒｓｏｎａｌ  Ｄｉｇｉｔａｌ  Ａｓｓｉｓｔａｎｔ）、略称ＰＤＡと呼ばれる手の平サイズの小型コンピュータ製品が数多く出現しているが、これらはかさばらない、携帯に便利、大容量、多機能といった特徴から人気を得ており、情報科学技術の急速な発展という現代のニーズに完全に一致したのみならず、仕事や学習など様々な領域でのニーズに応えることが可能である。現実には、折畳み式のノートや書類フォルダといったオフィス用品は日常的に用いられており、筆記と資料閲覧とを同時に行う必要性も往々にして発生するが、従来の携帯情報端末機とノートなど文房具とは別個のものであり、学習や仕事上の必要を満たすためには、ノートと携帯情報端末機とを同時に携帯せざるを得ず、利用者が不便に感じることがあった。また、従来のノート、書類フォルダおよびバインダーの大部分は表カバーパネルと裏カバーのみを備え、かつ、表カバーパネルと裏カバーはいずれも固定されたシート状構造であって、使用には制限がある。社会の進展に伴い、仕事や学習場面ではしばしば大量の資料が必要とされ、それらを使用するという必要を満たすためには重いブリーフケースや学生鞄を携帯せざるを得ず、非常に不便である。
【考案の開示】
【考案が解決しようとする課題】
【０００３】
本発明は、前記課題を解決するためになされたものであり、表カバーパネルが外側へ伸張可能であって、かつＰＤＡ装置を自由に着脱可能であることにより、ＰＤＡ装置の使用と資料閲覧および筆記とを同時進行でき、さらに夜間照明の提供とＰＤＡ音声の再生が可能なＰＤＡ付き多機能カバー装置を提供する。
【課題を解決するための手段】
【０００４】
前記目的を達成するために、本発明は、表カバーパネルと裏カバーを備えるＰＤＡ付き多機能カバー装置を提供し、凹状平面を備える表カバーパネル上には少なくとも一の回動式補助パネルが回動可能に連接され、補助パネルは表カバーパネルの任意の一端に連結され、表カバーパネルの凹状平面内から表カバーパネルの外側まで１８０度回動し、表カバーパネルを伸張させ、補助パネル上には照明灯および着脱式ＰＤＡ装置が連接され、補助パネルが収納状態にあるときは、照明灯とＰＤＡ装置の突出部分は表カバーパネル上のウィンドウ内にそれぞれ位置することを特徴とする。
【０００５】
補助パネルの連接端の頭部と底部とには貫通孔を有する軸が一つずつ設置され、表カバーパネルの接続端である凹状平面の上端壁および下端壁には、前記軸に対応する軸孔がそれぞれ設けられ、補助パネルの上下両端は、それぞれ軸によって照明灯および表カバーパネルと回動可能に連接され、表カバーパネルの凹状平面内のエッジ部分には補助パネルを引き出すために用いられる開口が設けられている。
【０００６】
照明灯はパネル状のソケット内に装着され、ソケットの接続端上下部分は貫通孔を有する軸と連接孔とによって、それぞれ補助パネルおよび表カバーパネルに回動可能に連接しており、照明灯と電池座は接続されており、電池座は表カバーパネルと裏カバーとを連接する連接パネル内に設置される。
本発明の他の構造は、表カバーパネルと裏カバーを備え、内部が空洞である表カバーパネルには、少なくとも一つの引き戸式補助パネルが内蔵され、表カバーパネルの一以上のエッジ部分には補助パネル取り出し口が設けられ、補助パネルは、補助パネル内から引き出すことで表カバーパネルを伸張可能であり、かつ補助パネルは表カバーパネル内に収納可能であって、補助パネル上には回動可能な照明灯および着脱式ＰＤＡ装置が装着され、補助パネルが収納状態にあるときは、照明灯とＰＤＡ装置の突出部分は表カバーパネル上のウィンドウ内にそれぞれ位置することを特徴とする。
【０００７】
表カバーパネル内室の上下壁上には、貫通孔を有するストッパーが一つずつ設置され、補助パネルの頭部と底部のエッジ部分には、前記ストッパーに対応するライン状溝がそれぞれ設けられ、補助パネルの外側への伸張位置はストッパーによって制限され、補助パネル外縁端にはストッパー凸縁部が設置され、表カバーパネル取り出し口のエッジ部分には、補助パネルを引き出すために用いられる開口が設けられている。
【０００８】
裏カバーは内部が空洞の板状体であって、裏カバーの角部には表カバーパネルと裏カバーを連接する連接パネルの厚さに対応する内側に突出した再生装置が設置され、前記再生装置は電池座に接続されており、表カバーパネルとカバー内の資料綴とは、再生装置の結合部の形状に吻合し、表カバーパネルと再生装置の対応面には、吸着用の磁石が相対するように装着されている。
【０００９】
表カバーパネルの外側表面上には複数の装飾用発光体が設置され、発光体は、電池座に接続されている回路基板に接続され、回路基板は表カバーパネル内に装着され、表カバーパネルのエッジ部分には回路基板と接続するコンピュータ伝送インターフェースが設置されている。
補助パネル上には貫通したウィンドウが一つ設けられ、ウィンドウの上下壁上には電気接続部材であって上下に伸縮可能な金属製連接柱が少なくとも二組装着され、前記ＰＤＡ装置の上下両端には金属製連接柱を挿入するためのＰＤＡ装置出力端子である連接孔がそれぞれ設けられており、ウィンドウ内には、前記金属製連接柱によってＰＤＡ装置が着脱可能に連接される。
【００１０】
金属製連接柱は二段の柱体および二つの柱体を連接する固定プレートによって構成され、柱体は補助パネルの内枠上の柱孔内に位置し、柱体は内枠上方の金属製連接座の柱孔内に位置し、柱孔内にはバネが装着され、固定パネルは内枠上で固定を行い、前記金属製連接柱は補助パネルの内枠上の柱孔と金属製連接座の柱孔内で上下運動可能である。
【００１１】
本発明は、書物や資料のカバーにおける従来の単純な構造を変えることによって、補助パネルを用いてカバーパネルを外側に伸張させ、かつＰＤＡ装置と照明装置を補助パネル上に設置し、補助パネル上のＰＤＡ装置とバインダー内の資料とを同一平面上に展開することが可能であって、これらを互いに干渉することなく交互に使用することができるため、ユーザーにとってたいへん便利であるという効果を有する。本発明は、ノート、書類フォルダおよびバインダーといった伝統的な用具とＰＤＡ装置とを有機的に一体化させることによって、資料や情報の蓄積量を大きく増加させるだけでなく、仕事や学習にたいへん便利である。本発明は、ＰＤＡ装置を着脱可能な構造とするため、ユーザーが必要に応じて調整を行うのに便利である。また、本発明のカバーパネル上には、音声再生装置、発光装置およびコンピュータに接続するインターフェースが設置され、使用機能を完備し、携帯にも便利である。
【考案を実施するための最良の形態】
【００１２】
以下に述べる実施の形態は、本発明を詳細に解説、説明するものであって、本発明を制限するものではない。
（実施の形態１）
本実施の形態では、回動式補助パネルを備えるＰＤＡ付き多機能カバー装置について述べる。
図１、図２を参照すると、本カバー装置は表カバーパネル１０ａと裏カバー２０とを有し、表カバーパネルと裏カバーとは連接パネル２００で連接されており、従来のカバーとは異なり、表カバーパネル１０ａ、裏カバー２０および連接パネル２００はいずれも内部が空洞の板状体であって、プラスチックインジェクションで形成される。表カバーパネル１０ａの内側には凹状平面１１（図１Ｃ参照）が設けられ、凹状平面１１には少なくとも一の回動式補助パネル３０ａが回動可能に連接され、補助パネルの厚みと表カバーパネルの凹状平面の深さは等しく、補助パネル３０ａの連接端の頭部と底部には貫通孔を有する軸３１が設置されており（図２Ａ参照）、軸の貫通孔はＰＤＡ装置に接続する導線を通すのに用いられ、表カバーパネル１０ａの連接端である凹状平面１１の上端壁および下端壁には、前記軸３１に対応する軸穴１４がそれぞれ設けられており（図２Ｂ参照）、補助パネルの上下両端は、それぞれ軸３１（図１Ｃ、図２Ｂ参照）によって照明灯５０および表カバーパネル１０ａと回動可能に連接され、表カバーパネル表面にはＰＤＡ装置４０と照明灯５０を設置するウィンドウ１２、１３が設けられており、表カバーパネルの凹状平面内のエッジ部分には補助パネルを引き出すために用いられる指挿入用の開口１８が設けられている。ＰＤＡ装置を使用しないときは、補助パネルは表カバーパネルの凹状平面１１内に収納されるため、バインダーを閉じたときの厚みを有効に縮小することができる。ＰＤＡ装置を使用するときには、開口１８によって補助パネルを外側に１８０度回動させて表カバーパネルと同一平面上に位置させ、表カバーパネルを伸張させる（図１Ｃ、図１Ｄ参照）。
【００１３】
図５Ａ、図６Ａに示すように、補助パネル３０ａもしくは３０ｂには貫通されたウィンドウ３４が設けられており、ウィンドウの上下壁上には電気接続部材であって上下に伸縮可能な金属製連接柱３５が装着され、前記ＰＤＡ装置４０の上下両端には金属製連接柱３５を挿入するためのＰＤＡ装置出力端子である連接孔４１がそれぞれ設けられており、ウィンドウ３４内には、前記金属製連接柱によってＰＤＡ装置４０が着脱可能に連接され、ＰＤＡ装置４０の前面は補助パネル面から突出しており（図１Ｃ参照）、補助パネルを閉じる際には、ＰＤＡ装置と照明灯の突出部分は表カバーパネル上のウィンドウ１２、１３内にちょうど収納されるようになっている（図１Ａ、図１Ｂ参照）。
図６Ｂ、図６Ｃに示すように、金属製連接柱３５は二段状の柱体３５１、３５２および当該二つの柱体を連接する固定プレート３５３によって構成され、前記柱体３５１は補助パネル３０ａあるいは３０ｂの内枠３６に設けられた柱孔３６１内に設置され、柱体３５２は内枠上方に設けられた内部にバネ３８を装着する金属製連接座３７の柱孔３７１内に連接され、前記固定パネル３５３は内枠３６上で固定を行い、前記金属製連接柱３５は補助パネル３０ａあるいは３０ｂの内枠３６に設けられた柱孔３６１および金属製連接座３７の柱孔３７１内で上下運動可能である。金属製連接柱３５は伸縮伸縮可能であるため、ＰＤＡ装置４０は容易に着脱および回動可能であり、この回動状態を図４Ｃ、図４Ｄに示しているが、本発明のカバーを備えるバインダーを開くと同時にＰＤＡ装置を使用して保存内容を閲覧する必要があるときには、補助パネル３０ａを表カバーパネルの外側まで回動させ、使用者側に補助パネル上のＰＤＡ装置の前面を向けさせることが可能であるため、非常に便利である。
【００１４】
光源が不足している情況で正常な筆記と資料閲覧を可能にするよう照明を提供するために、補助パネル３０ａ上に照明灯５０を連接するが、その構造は図１Ｄ、図２Ａに示すとおり、照明灯は小型の管状あるいは球状の電灯であって、これらはパネル状のソケット５１内に装着され、ソケット５１の接続端上下部分は貫通孔を有する軸５１１と連接孔５１２とによって、それぞれ補助パネル３０ａおよび表カバーパネル１０ａに回動可能に連接しており、照明灯５０の接続導線は軸５１１の貫通孔を通って電池座６０に接続され、電池座は表カバーパネル１０と裏カバー２０とを連接する連接パネル２００内に設置され（図６Ａ参照）、電池座内に装着される電池より照明灯に電力が供給される。図１Ｄに示すように、使用時には必要に応じて任意にソケット５１を回動することで照射角度を調整することができる。表カバーパネル１０ａの外側表面には発光ダイオードを使用した複数の発光体８０が設置されて装飾の役割を果たし、発光体は、電池座６０に接続される回路基板９０に接続し（図２Ｂ、図５Ｂ、図５Ｃ参照）、回路基板は表カバーパネル内に装着され、表カバーパネル１０ａのエッジ部分には回路基板９０と接続するコンピュータ伝送インターフェース１００（図１Ａ参照）が設置され、回路基板９０と接続する当該インターフェースを介してＰＤＡ装置を外部コンピュータに接続させ、資料の双方向伝送を行うことが可能である。前記裏カバー２０は内部が空洞の板状体であって、裏カバーの角部には表カバーパネルと裏カバーを連接する連接パネルの厚さに対応する内向きに突出した再生装置７０が設置され、図１Ａ〜図１Ｄに示すように、再生装置は裏カバーと一体となっており、裏カバー上に設置されたスピーカー機能を果たす筐体７１と、筐体内に装着された直径が比較的長い再生ホーンおよび標準オーディオ信号増幅回路を備え、再生装置は、導線で回路基板９０と連接され、ＰＤＡのオーディオ信号を再生して使用者が直接聴取できるようにする。再生装置とカバー内部のバインダー部分とが互いに干渉しないように、表カバーパネルとカバー内部のバインダーは、再生装置７０の結合部の形状と吻合するようになっており、本実施の形態においては、前記結合部の形状はアーチ形状である。表カバーパネル１０と再生装置の対応面には、吸着用の磁石１１１、１１２が相対するように設置されており、表カバーパネルと裏カバーを互いに吸着する。
【００１５】
（実施の形態２）
図３Ａ、３Ｂを参照すると、本実施の形態の基本構造は実施の形態１と同様であるが、回動式補助パネル３０ａが表カバーパネル１０ａ外側に設置されている点が異なる。
【００１６】
（実施の形態３）
本実施の形態では、引き戸式補助パネルを備えるＰＤＡ付き多機能カバー装置について述べる。
本実施の形態の基本構造は実施の形態１と同様であるが、補助パネルが引き戸式である点が異なり、図４を参照すると、内側が空洞の表カバーパネル１０ｂ上に図５Ａに示す構造を有する引き戸式補助パネル３０ｂが設置されており、表カバーパネル１０ｂの一以上のエッジ部分には補助パネル取り出し口１５が設けられ、補助パネル３０ｂは補助パネル内部から引き出すことで表カバーパネルを伸張させることが可能であって（図４Ｂ〜４Ｅ、５Ｄ参照）、かつ補助パネルは表カバーパネル１０ｂ内部に収納可能である（図４Ａ、５Ｃ参照）。図５Ｂに示すとおり、表カバーパネル１０ｂ内室の上端壁および下端壁には、貫通孔を有するストッパー１６が一つずつ設置され、このストッパーによって補助パネル３０ａの外側への伸張位置を制限し、補助パネルが表カバーパネルから脱落するのを防ぐ。補助パネル３０ｂの頭部と底部のエッジ部分にはそれぞれ前記ストッパーに対応するライン状溝３２が設けられ、表カバーパネル上のストッパー１６はこのライン状溝３２に挿入され、補助パネルの引き出しあるいは押し込みが阻害されないようにする。補助パネル３０ｂの外縁端にはストッパー凸縁部３３が設置され、補助パネル押し込み位置を制限している。表カバーパネル１０ｂの一端には、補助パネル取り出し口１５が設けられ、補助パネル取り出し口のエッジ部分には補助パネルを取り出すのに用いる指を挿入可能な開口１７が設けられている。補助パネル３０ｂは補助パネル内部から引き出すことで表カバーパネルを伸張させることが可能であって（図５Ｄ参照）、使用後は補助パネルを表カバーパネル１０ｂ内部に収納可能である（図５Ｃ参照）。図４Ｅには、補助パネル３０ｂを上方向へ引き出す構造を示している。
【図面の簡単な説明】
【００１７】
【図１Ａ】本発明の実施の形態１の外観図。
【図１Ｂ】本発明の実施の形態１の補助パネルが表カバーパネル内に収納される構造を示す斜視図。
【図１Ｃ】本発明の実施の形態１の補助パネルが回動展開する構造を示す斜視図。
【図１Ｄ】本発明の実施の形態１の可動式照明灯の使用状態を示す斜視図。
【図２Ａ】実施の形態１の構成部品の照明灯の構造を示す図。
【図２Ｂ】実施の形態１の構成部品の補助パネルの構造を示す図。
【図３Ａ】本発明の実施の形態２の外観図。
【図３Ｂ】本発明の実施の形態２の補助パネルを引き出した状態を示す斜視図。
【図４Ａ】本発明の実施の形態３の外観図。
【図４Ｂ】本発明の実施の形態３の補助パネルを引き出した状態を示す斜視図。
【図４Ｃ】本発明の実施の形態３のＰＤＡ装置の回動状態を示す図。
【図４Ｄ】本発明の実施の形態３のＰＤＡ装置が反転したことを示す斜視図。
【図４Ｅ】本発明の実施の形態３の補助パネルが上方向に引き出されたことを示す図。
【図５Ａ】実施の形態３の構成部品の補助パネルの構造を示す図。
【図５Ｂ】実施の形態３の構成部品の表カバーパネルの構造を示す図。
【図５Ｃ】実施の形態３の構成部品の表カバーパネル内に収納された状態を示す図。
【図５Ｄ】実施の形態３の構成部品の補助パネルが引き出された状態を示す図。
【図６Ａ】ＰＤＡ装置と補助パネルの部品の分解図。
【図６Ｂ】ＰＤＡ装置と補助パネルとの連接構造の金属製連接柱部品の分解図。
【図６Ｃ】ＰＤＡ装置と補助パネルとの連接構造の金属製連接柱構造の断面図。
【符号の説明】
【００１８】
１０ａ：表カバーパネル、２０：裏カバー、１１：凹状平面、３０ａ：補助パネル、５０：照明灯、４０：ＰＤＡ装置、１２：ウィンドウ、１３：ウィンドウ
【図１Ａ】
0003140684.tif 000003
【図１Ｂ】
0003140684.tif 000004
【図１Ｃ】
0003140684.tif 000005
【図１Ｄ】
0003140684.tif 000006
【図２Ａ】
0003140684.tif 000007
【図２Ｂ】
0003140684.tif 000008
【図３Ａ】
0003140684.tif 000009
【図３Ｂ】
0003140684.tif 000010
【図４Ａ】
0003140684.tif 000011
【図４Ｂ】
0003140684.tif 000012
【図４Ｃ】
0003140684.tif 000013
【図４Ｄ】
0003140684.tif 000014
【図４Ｅ】
0003140684.tif 000015
【図５Ａ】
0003140684.tif 000016
【図５Ｂ】
0003140684.tif 000017
【図５Ｃ】
0003140684.tif 000018
【図５Ｄ】
0003140684.tif 000019
【図６Ａ】
0003140684.tif 000020
【図６Ｂ】
0003140684.tif 000021
【図６Ｃ】
0003140684.tif 000022